(57)【要約】【課題】ＣＰＵのフォトセンサー用ポートに対して、フォトセンサーからのオンオフ検出信号を必要としない特別モードでは、特別モードでのみ使用する特別モード用制御信号を割り当てることができる電子機器を提供する。【解決手段】発光ダイオード１１ａとフォトトランジスタ１１ｂとからなるフォトセンサー１１と、フォトセンサー用ポートを有し、通常モードでは、フォトセンサー１１からのオンオフ検出信号に基づいて動作制御を実行するＣＰＵ８１とを備えた複写機１であって、フォトセンサー用ポートに接続された機器側コネクタ１２ａと、特別モードで用いる特別モード用制御信号を伝送するケーブルに接続されたケーブル側コネクタ１２ｂが、機器側コネクタ１２ａに接続されると、フォトセンサー１１からのオンオフ検出信号を無効化させるセンサー無効化手段（遮光板１４）とを備えている。【選択図】図２
2017052224.tif 000002
【特許請求の範囲】
【請求項１】
発光部と受光部とからなるフォトセンサーと、当該フォトセンサーが接続されるフォトセンサー用ポートを有し、通常モードでは、前記フォトセンサーからのオンオフ検出信号に基づいて動作制御を実行するＣＰＵとを備えた電子機器であって、
前記フォトセンサー用ポートに接続された機器側コネクタと、
前記フォトセンサーからの前記オンオフ検出信号を必要としない特別モードで用いる特別モード用制御信号を伝送するケーブルに接続されたケーブル側コネクタが、前記機器側コネクタに接続されると、前記フォトセンサーからのオンオフ検出信号を無効化させるセンサー無効化手段とを具備することを特徴とする電子機器。
【請求項２】
前記センサー無効化手段は、前記フォトセンサーの前記発光部から前記受光部への光を遮光することを特徴とする請求項１記載の電子機器。
【請求項３】
前記センサー無効化手段は、前記フォトセンサーの前記発光部への電源の供給を遮断することを特徴とする請求項１記載の電子機器。
【請求項４】
前記ケーブル側コネクタには、前記ＣＰＵをデバッグモードに切り替えるためのデバッグモード用基板からのケーブルが接続されていることを特徴とする請求項１乃至３のいずれかに記載の電子機器。
【請求項５】
前記ＣＰＵは、前記フォトセンサー用ポートに前記デバッグモード用基板からの特定パターンのパルス信号が入力されると、前記デバックモードに切り替えることを特徴とする請求項４記載の電子機器。
【発明の詳細な説明】
【技術分野】
【０００１】
本発明は、発光部と受光部とからなるフォトセンサを有する電子機器に関する。
【背景技術】
【０００２】
複写機、スキャナー、複合機等の画像形成装置には、記録紙や接続等の有無を確認するためのセンサーとして発光部と受光部とからなるフォトセンサーが用いられている（例えば、特許文献１参照）。フォトセンサーは、画像形成装置の動作を制御するＣＰＵのポートの一つに接続され、ＣＰＵは、フォトセンサーからのオンオフ検出信号に基づいて動作制御を実行する。
【先行技術文献】
【特許文献】
【０００３】
【特許文献１】特開２００４−１２２５５１号公報
【発明の概要】
【発明が解決しようとする課題】
【０００４】
しかしながら、画像形成装置には、フォトセンサーからのオンオフ検出信号を必要としないモード（例えば、バグや欠陥の発見や修正を行うデバッグモード）が存在し、これらのモードでは、ＣＰＵのポートがフォトセンサーによって無駄に占有されてしまうことになってしまうという問題点があった。
【０００５】
本発明の目的は、上記問題点を解決し、ＣＰＵのフォトセンサー用ポートに対して、フォトセンサーからのオンオフ検出信号を必要としない特別モードでは、特別モードでのみ使用する特別モード用制御信号を割り当てることができる電子機器を提供することにある。
【課題を解決するための手段】
【０００６】
本発明の電子機器は、発光部と受光部とからなるフォトセンサーと、当該フォトセンサーが接続されるフォトセンサー用ポートを有し、通常モードでは、前記フォトセンサーからのオンオフ検出信号に基づいて動作制御を実行するＣＰＵとを備えた電子機器であって、前記フォトセンサー用ポートに接続された機器側コネクタと、前記フォトセンサーからの前記オンオフ検出信号を必要としない特別モードで用いる特別モード用制御信号を伝送するケーブルに接続されたケーブル側コネクタが、前記機器側コネクタに接続されると、前記フォトセンサーからのオンオフ検出信号を無効化させるセンサー無効化手段とを具備することを特徴とする。
さらに、本発明の電子機器において、前記センサー無効化手段は、前記フォトセンサーの前記発光部から前記受光部への光を遮光しても良い。
さらに、本発明の電子機器において、前記センサー無効化手段は、前記フォトセンサーの前記発光部への電源の供給を遮断しても良い。
さらに、本発明の電子機器において、前記ケーブル側コネクタには、前記ＣＰＵをデバッグモードに切り替えるためのデバッグモード用基板からのケーブルが接続されていても良い。
さらに、本発明の電子機器において、前記ＣＰＵは、前記フォトセンサー用ポートに前記デバッグモード用基板からの特定パターンのパルス信号が入力されると、前記デバックモードに切り替えても良い。
【発明の効果】
【０００７】
本発明によれば、フォトセンサーからのオンオフ検出信号を必要としない特別モードでは、ＣＰＵのフォトセンサー用ポートに対して特別モードでのみ使用する特別モード用制御信号を割り当てることができ、ＣＰＵのポート数を削減することが可能になるという効果を奏する。
【図面の簡単な説明】
【０００８】
【図１】本発明に係る電子機器の実施の形態の内部構成を示す概略模式断面図である。
【図２】図１に示す複写機の実施の形態の概略構成を示すブロック図である。
【図３】図２に示すフォトセンサーからのオンオフ検出信号を無効化した無効化状態を示す図である。
【図４】図２に示すフォトセンサーからのオンオフ検出信号を無効化する他の構成例を示す図である。
【発明を実施するための形態】
【０００９】
次に、本発明の実施の形態を、図面を参照して具体的に説明する。
本実施の形態の電子機器は、複写機１であり、図１及び図２を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、複写機１の手前側に配設されている。また、原稿給送部３と原稿読取部２とは、複写機１の奥側でヒンジ機構によって接続されており、原稿給送部３を手前側から上方に開くことで、原稿読取部２上面を開放可能な構成になっている。なお、本実施の形態の電子機器は、複写機１に限ることなく、スキャナー、複合機等の画像形成装置が含まれるのは、言うまでもない。
【００１０】
複写機１の手前側には、複写機１の設定や動作指示を行う操作部５が配設されている。操作部５は、液晶表示部５１、操作ボタン５２が設けられている。ユーザーは操作部５を操作して指示を入力することで、複写機１の各種の設定を行い、画像形成等の各種機能を実行させる。液晶表示部５１は、複写機１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、複写機１の各種設定をデフォルト状態にする際に使用するリセットボタン、テンキー等が設けられている。
【００１１】
原稿読取部２は、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿の搬送方向に移動可能に構成されている。
【００１２】
原稿給送部３は、原稿載置部３１と、原稿搬送機構３２と、原稿排出部３３とを備えている。原稿載置部３１に載置された原稿は、原稿搬送機構３２によって、１枚ずつ順に繰り出されて原稿読取スリット２３に対向する位置へ搬送され、その後、原稿排出部３３に排出される。
【００１３】
原稿給送部３は、プラテンガラス２２上面を開閉するプラテンカバーとして機能し、原稿給送部３を上方に開くことで、プラテンガラス２２上面が開放され、プラテンガラス２２に原稿をセットできる状態となる。また、原稿給送部３におけるプラテンガラス２２との対向面は、白色の原稿押さえ面となっている。
【００１４】
原稿載置部３１に原稿が載置されていない状態や、原稿給送部３（プラテンカバー）が開いた開状態で、操作部５の操作ボタン５２によって原稿の読み取りが指示されると、プラテンガラス２２に載置された原稿が読み取られる。プラテンガラス２２に載置された原稿を読み取る場合には、スキャナー２１は、プラテンガラス２２に対向する位置に移動され、プラテンガラス２２に載置された原稿を主走査方向と直交する副走査方向に走査しながら読み取って画像データを取得し、取得した画像データを本体部４に出力する。
【００１５】
原稿載置部３１に原稿が載置された状態で、操作部５の操作ボタン５２によって原稿の読み取りが指示されると、原稿給送部３により搬送された原稿が読み取られる。原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１６】
本体部４は、記録部６を備えると共に、給紙部７と、給紙ローラー４１と、用紙搬送路４２と、搬送ローラー４３と、排出ローラー４４とを備えている。給紙部７は、複数枚の記録紙が収納される給紙カセットであり、給紙ローラー４１は、給紙部７から記録紙を１枚ずつ用紙搬送路４２に送り出す。給紙ローラー４１によって用紙搬送路４２に繰り出された記録紙は、搬送ローラー４３によって記録部６に搬送される。そして、記録部６によって記録が施された記録紙は、排出ローラー４４によって、原稿読取部２と本体部４との間に形成された排出空間４５に排出される。このように、給紙ローラー４１、搬送ローラー４３及び排出ローラー４４は、記録紙の搬送部として機能する。
【００１７】
図２には、複写機１の概略構成を示すブロック図が示されている。上述の原稿読取部２、原稿給送部３、搬送部（給紙ローラー４１、搬送ローラー４３、排出ローラー４４）、操作部５、記録部６、給紙部７は、制御部８に接続され、制御部８によって動作制御される。また、制御部８には、画像処理部９と、記憶部１０とが接続されている。
【００１８】
画像処理部９は、画像データに対して所定の画像処理を行う手段であり、例えば、拡大縮小処理や、階調調整、濃度調整等の画像改善処理が行われる。
【００１９】
記憶部１０は、半導体メモリやＨＤＤ（Hard Disk Drive）等の記憶手段であり、原稿読取部２によって原稿を読み取ることで取得された画像データが記憶されると共に、各種の管理情報が記憶されている。
【００２０】
制御部８は、ＣＰＵ（Central Processing Unit）８１と、ＲＯＭ（Read Only Memory）、ＲＡＭ（Random Access Memory）等を備えたマイクロコンピューター等の情報処理部である。ＲＯＭには複写機１の動作制御を実行するための制御プログラムが記憶されている。ＣＰＵ８１は、ＲＯＭに記憶されている制御プログラムを読み出し、制御プログラムをＲＡＭに展開させることで、操作部５から入力された所定の指示情報に応じて装置全体の制御を行う。
【００２１】
ＣＰＵ８１が有しているポートの一つには、フォトセンサー１１が接続されている。以下、フォトセンサー１１が接続されたＣＰＵ８１のポートをフォトセンサー用ポートと称す。フォトセンサー１１は、発光部である発光ダイオード１１ａと、受光部であるフォトトランジスタ１１ｂとを有するオープンコレクタ出力タイプの透過型フォトインタラプタであり、例えば、給紙部７に収納された記録紙の有無検知等を行う。なお、フォトセンサー１１は、反射型フォトインタラプタであっても良い。
【００２２】
発光ダイオード１１ａのアノードには電流制限用の抵抗Ｒ１を介して内部電源電圧Ｖｃｃが印加され、フォトトランジスタ１１ｂのコレクタにはプルアップ用の抵抗Ｒ２を介して内部電源電圧Ｖｃｃが印加されている。また、発光ダイオード１１ａのカソードと、フォトトランジスタ１１ｂのエミッタとは接地端子に接続されている。
【００２３】
フォトトランジスタ１１ｂのコレクタと抵抗Ｒ２との接続点がＣＰＵ８１のフォトセンサー用ポートに接続されている。これにより、フォトトランジスタ１１ｂのコレクタと抵抗Ｒ２との接続点の電圧が、フォトセンサー１１のオンオフ検出信号としてＣＰＵ８１のフォトセンサー用ポートに入力される。フォトセンサー１１は、発光ダイオード１１ａからの光がフォトトランジスタ１１ｂに入光される状態がオン状態であり、発光ダイオード１１ａからの光が遮光されてフォトトランジスタ１１ｂに入光されない状態がオフ状態である。フォトセンサー１１のオン状態では、フォトトランジスタ１１ｂは導通状態となり、フォトトランジスタ１１ｂのコレクタと抵抗Ｒ２との接続点の電位は、ほぼ接地電位（Ｌｏｗレベル）になる。フォトセンサー１１のオフ状態では、フォトトランジスタ１１ｂは遮断状態となり、フォトトランジスタ１１ｂのコレクタと抵抗Ｒ２との接続点の電位は、ほぼ内部電源電圧（Ｈｉｇｈレベル）になる。
【００２４】
また、複写機１には、デバッグモード用基板１３を接続するための機器側コネクタ１２ａが設けられている。デバッグモード用基板１３は、ＣＰＵ８１をバグや欠陥の発見や修正を行うデバッグモードに切り替えるための基板である。デバックモードは、フォトセンサーからのオンオフ信号に基づいて動作制御を実行する通常モードと異なり、フォトセンサーからのオンオフ検出信号を必要としない特別モードである。特別モードとしては、メンテナンスモード等にも考えられる。
【００２５】
デバッグモード用基板１３からのケーブル、すなわち特別モードで用いる特別モード用制御信号を伝送するケーブルには、ケーブル側コネクタ１２ｂが接続されている。そして、ケーブル側コネクタ１２ｂには、機器側コネクタ１２ａとの接続時に、発光ダイオード１１ａからフォトトランジスタ１１ｂへの光を遮光する遮光板１４が設けられている。遮光板１４は、ケーブル側コネクタ１２を機器側コネクタ１２ａに接続すると、図３に示すように、機器側コネクタ１２ａの近傍に設けられた開口１５から機器内に侵入し、発光ダイオード１１ａとフォトトランジスタ１１ｂとの間に侵入し、発光ダイオード１１ａからの光が遮光板１４によって遮光され、フォトトランジスタ１１ｂに入光されない状態になる。
【００２６】
ケーブル側コネクタ１２ｂと機器側コネクタ１２ａとの接続により、デバッグモード用基板１３がＣＰＵ８１のフォトセンサー用ポートに接続される。すなわち、ケーブル側コネクタ１２ｂと機器側コネクタ１２ａとの接続により、ＣＰＵ８１のフォトセンサー用ポートに対して、フォトセンサー１１からのオンオフ信号は無効化され、デバッグモード時のみに使用するデバッグ用信号が割り当てられる。ケーブル側コネクタ１２ｂに設けられた遮光板１４は、ケーブル側コネクタ１２ｂと機器側コネクタ１２ａとの接続によりフォトセンサー１１を無効化するセンサー無効化手段として機能する。なお、センサー無効化手段として、ケーブル側コネクタ１２ｂと機器側コネクタ１２ａとの接続により動作するアクチュエータを用いることもできる。
【００２７】
デバッグモード用基板１３によるモード切り替え、すなわち通常モードから特別モードへの切り替えは、デバッグモード用基板１３からＣＰＵ８１のフォトセンサー用ポートに特定パターンのパルス信号を入力することで行うことができる。ＣＰＵ８１は、フォトセンサー用ポートにデバッグモード用基板１３からの特定パターンのパルス信号が入力されると、デバックモードに切り替える。また、プルアップ用の抵抗Ｒ２と接地端子との間に接続される分圧用の抵抗をデバッグモード用基板１３に設け、ＣＰＵ８１のフォトセンサー用ポートに入力される電圧を切り替えることで、モード切り替えを行うようにしても良い。
【００２８】
なお、本実施の形態では、発光ダイオード１１ａとフォトトランジスタ１１ｂとの間を遮光することで、フォトセンサー１１を無効化させたが、図４に示すように、発光ダイオード１１ａへの内部電源電圧Ｖｃｃの供給を遮断することで、フォトセンサー１１を無効化するように構成しても良い。図４に示す例では、発光ダイオード１１ａにＰＮＰ型のトランジスタＴＲ１を介して内部電源電圧Ｖｃｃが供給される。トランジスタＴＲ１のエミッタとベースとの間には、抵抗Ｒ３が、トランジスタＴＲ１のベースと接地端子との間には、抵抗Ｒ４と抵抗Ｒ５からなる直列回路が接続されている。これにより、ケーブル側コネクタ１２ｂと機器側コネクタ１２ａとが接続されていない状態では、ベース電流が流れてトランジスタＴＲ１がオン状態となり、フォトセンサー１１に内部電源電圧Ｖｃｃが供給される。ケーブル側コネクタ１２ｂと機器側コネクタ１２ａとが接続されると、図４に示すように、抵抗Ｒ４と抵抗Ｒ５との接続点に内部電源電圧Ｖｃｃが印加される。これにより、ベース電流がなくなってトランジスタＴＲ１がオフ状態となり、フォトセンサー１１への内部電源電圧Ｖｃｃの供給が遮断される。この場合、トランジスタＴＲ１がセンサー無効化手段として機能することになる。
【００２９】
以上説明したように、本実施の形態は、発光部である発光ダイオード１１ａと受光部であるフォトトランジスタ１１ｂとからなるフォトセンサー１１と、フォトセンサー１１が接続されるフォトセンサー用ポートを有し、通常モードでは、フォトセンサー１１からのオンオフ検出信号に基づいて動作制御を実行するＣＰＵ８１とを備えた電子機器（複写機１）であって、フォトセンサー用ポートに接続された機器側コネクタ１２ａと、フォトセンサー１１からのオンオフ検出信号を必要としない特別モードで用いる特別モード用制御信号を伝送するケーブルに接続されたケーブル側コネクタ１２ｂが、機器側コネクタ１２ａに接続されると、フォトセンサー１１からのオンオフ検出信号を無効化させるセンサー無効化手段とを備えている。
この構成により、フォトセンサーからのオンオフ検出信号を必要としない特別モードでは、ケーブル側コネクタ１２ｂを機器側コネクタ１２ａに接続することで、フォトセンサー１１からのオンオフ検出信号を無効化させることができるため、ＣＰＵのフォトセンサー用ポートに対して特別モードでのみ使用する特別モード用制御信号を割り当てることができる。これにより、特別モード用制御信号のためのポートを用意しなくても良いため、ＣＰＵのポート数を削減することが可能になる。
【００３０】
さらに、本実施の形態において、センサー無効化手段は、ケーブル側コネクタ１２ｂに設けられた遮光板１４や、機器側に設けられたアクチュエータであり、ケーブル側コネクタ１２ｂが機器側コネクタ１２ａに接続されると、フォトセンサー１１の発光ダイオード１１ａからフォトトランジスタ１１ｂへの光を遮光する。
この構成により、フォトセンサー１１の発光ダイオード１１ａとフォトトランジスタ１１ｂとの間に遮光部材（遮光板１４やアクチュエータ）を侵入させ、フォトセンサー１１からのオンオフ検出信号を無効化させることができる。
【００３１】
さらに、本実施の形態において、センサー無効化手段は、発光ダイオード１１ａへの電源の供給経路をオンオフするトランジスタＴＲ１であり、ケーブル側コネクタ１２ｂが機器側コネクタ１２ａに接続されると、フォトセンサー１１の発光ダイオード１１ａへの電源の供給を遮断する。
この構成により、フォトセンサー１１が機器側コネクタ１２ａから離れた位置にあっても、電気的にフォトセンサー１１からのオンオフ検出信号を無効化させることができる。
【００３２】
さらに、本実施の形態において、前記ケーブル側コネクタ１２ｂには、ＣＰＵ８１をデバッグモードに切り替えるためのデバッグモード用基板１３からのケーブルが接続されている。また、ＣＰＵ８１は、フォトセンサー用ポートにデバッグモード用基板１３からの特定パターンのパルス信号が入力されると、デバックモードに切り替える。
【００３３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３４】
１  複写機
２  原稿読取部
３  原稿給送部
４  本体部
５  操作部
６  記録部
７  給紙部
８  制御部
９  画像処理部
１０  記憶部
１１  フォトセンサー
１１ａ  発光ダイオード
１１ｂ  フォトトランジスタ
１２ａ  機器側コネクタ
１２ｂ  ケーブル側コネクタ
１３  デバッグモード用基板
１４  遮蔽板
１５  開口
２１  スキャナー
２２  プラテンガラス
２３  原稿読取スリット
２４  光源
２５  受光部
３１  原稿載置部
３２  原稿搬送機構
３３  原稿排出部
４１  給紙ローラー
４２  用紙搬送路
４３  搬送ローラー
４４  排出ローラー
４５  排出空間
５１  液晶表示部
５２  操作ボタン
８１  ＣＰＵ
Ｒ１〜Ｒ５  抵抗
【図１】
2017052224.tif 000003
【図２】
2017052224.tif 000004
【図３】
2017052224.tif 000005
【図４】
2017052224.tif 000006